(57)【要約】【課題】  一般漫画読者が希望する漫画をインターネット上に広く取り込み、利用しやすいように保存し、同時に漫画著作者の利益保護に役立つようにする。【解決手段】  ユーザー端末から絶版、未刊の漫画の書籍データがアーカイブサーバー２にアップロードされ、アーカイブサーバーのオリジナルデータベース１１に格納されるステップと、アップロードされた書籍データの低解像度データが作成されネット上に公開されるステップと、前記低解像度データが削除すべきものと高解像度で配信可能なものとそのままネット上に置かれるものとに選別されるステップと、前記公開可能な書籍データと広告データとにより広告入りＰＤＦデータが編集されサーバーの広告入りデータベース１３に格納されるステップと、前記広告入りＰＤＦデータがネット上に公開されるステップとを含み、ユーザー端末を使用してサイトにアクセスすると希望する絶版漫画及び未刊漫画が提供される。【選択図】  図１
2012084033.tif 000002
【特許請求の範囲】
【請求項１】
ユーザーのインターネット端末にネットワークを介して絶版、未刊の漫画を提供する方法であって、ユーザー端末から絶版漫画及び未刊漫画の書籍データがアーカイブサーバーにアップロードされ、アーカイブサーバーのオリジナルデータベースに格納されるステップと、アップロードされた書籍データの低解像度データが作成され、ネット上に公開されるステップと、前記低解像度データが、削除すべきものと、高解像度で配信可能なものとそのままネット上に置かれるものとに選別されるステップと、前記公開可能な書籍データと広告クライアントより提供された広告データとにより広告入りＰＤＦデータが編集され、サーバーの広告入りデータベースに格納されるステップと、前記広告入りＰＤＦデータがネット上に公開されるステップとを含み、ユーザー端末を使用してサイトにアクセスすると、希望する絶版漫画及び未刊漫画がユーザー端末に提供されることを特徴とするネットワークを利用した絶版、未刊の漫画の提供方法。
【請求項２】
ユーザーのインターネット端末にネットワークを介して絶版、未刊の漫画を提供する方法であって、ユーザー端末から、著作権者の許諾が得られた絶版及び未出版漫画の書籍データがアーカイブサーバーにアップロードされ、サーバーのオリジナルデータベースに格納されるステップと、前記アップロードされた書籍データと広告クライアントより提供された広告データとにより広告入りＰＤＦデータが編集され、サーバーの広告入りデータベースに格納されるステップと、前記広告入りＰＤＦデータがネット上に公開されるステップとを含み、ユーザー端末を使用してサイトにアクセスすると、希望する絶版漫画又は未出版漫画がユーザー端末に提供されることを特徴とするネットワークを利用した絶版、未刊の漫画の提供方法。
【発明の詳細な説明】
【技術分野】
【０００１】
本発明は、通信回線を利用して絶版漫画、未刊漫画を提供できるようにする提供方法に関するものである。
【背景技術】
【０００２】
漫画の単行本の出版について、通常漫画家は、出版社と出版契約を結び、出版権を出版社に対して設定し、その対価としての著作権使用料が出版社から支払われている。
上記出版契約は一般的に５年程度で期間が満了し、それ以降は単行本は絶版となるのが通常である。一旦絶版となった作品は、出版社と再契約しない限り著作権は著作者に帰属するが、その後書店等で扱われることはなくなる。
このことは一般読者からしてみると、上記のような絶版の漫画を購入しようと思った場合でも、新書で手に入れることはできなくなり、書籍のように図書館のようなものがあるわけでもないので、絶版になった希少な漫画を入手することは難しく、多くの古本屋を探しまわったり、ネットオークションで入手したり手間と費用がかかるものとなっていた。
一般書籍の場合には現在電子図書館構想があるが、著作権の問題もあり未だ実現には至っていない。
電子図書館に関する特許文献には以下のようなものがある。
【０００３】
【特許文献１】特許第３５６５４８２号公報
【特許文献２】特開２００４−２８７５１４号公報
【発明の概要】
【発明が解決しようとする課題】
【０００４】
漫画の著作者の立場から見ると、絶版になってしまった漫画が、中古市場での売買・漫画喫茶等での閲覧・インターネット上のファイル共有ソフト等での違法なアップロード等で一般読者に流通した場合、どんなに読者間で評価され、人気を博したとしても、著作者に収益をもたらすことは一切なかった。
また、漫画が日本国内に留まらず海外にも不正に流出し、日本の漫画文化の安易な流出が問題となっている。
また一般漫画読者が自分の好きな漫画を世間に広めたいと思っても、著作権を侵害することになり、好きな漫画家の役に立つどころか、漫画家の利益を奪う行為となっていた。
本発明はこのような事情に鑑みてなされたもので、一般漫画読者が希望する日本の誇れるような漫画を広く取り込み、利用しやすいように保存し、同時に漫画著作者の利益を保護して創作意欲を一段と高めるのに役立つことを目的とした。
【課題を解決するための手段】
【０００５】
この発明は、上述した課題を解決するためになされたものであって、ユーザー端末から絶版漫画及び未刊漫画の書籍データがアーカイブサーバーにアップロードされ、サーバーのオリジナルデータベースに格納されるステップと、前記書籍データの低解像度データが作成され、ネット上に公開されるステップと、前記低解像度データが、削除すべきものと、高解像度で公開可能なものと、対応待ちでネット上に置かれるものとに選別されるステップと、前記公開可能な書籍データと広告クライアントより提供された広告データとにより、高解像度の広告入りＰＤＦデータが編集され、サーバーの広告入りデータベースに格納されるステップと、前記広告入りＰＤＦデータがネット上に公開されるステップとを含み、ユーザー端末を使用してサイトにアクセスすると、希望する絶版漫画及び未刊漫画がユーザー端末に提供されることを特徴とする。
また、ユーザー端末から、著作権者の許諾が得られた絶版漫画及び未刊漫画の書籍データのみがアーカイブサーバーにアップロードされ、その書籍データを用いて広告データを取り込んだ広告入りＰＤＦデータが編集され、該広告入りデータがネット上に公開される場合もある。
【発明の効果】
【０００６】
本発明は、絶版漫画、未刊漫画の所有者が漫画の電子データをアーカイブサーバにアップロードして電子データを蓄積させ、著作権者の同意を得たものを流通させる事により漫画の図書館としての機能を果たすことができ、また電子化することにより、過去のあらゆる漫画資源をこのシステムに取り込み可能であり、半永久的に読者に喜ばれる作品を世に残すことができる。
また、読者の立場からみても、絶版になった貴重な作品を無料で手に入れることができ、尚且つ自宅で簡単に検索・閲覧できるため、古本屋を回る必要もなく、金銭的にも時間的にも負担を減らすことができる。さらに海外にいる人間にとっても、容易に好きな漫画を無料で読むことができる。
また、公開可能な書籍データに広告クライアントより提供された広告データを挿入することにより、広告料を得ることができ、絶版漫画の著作者に継続的に収入をもたらすことができる。
また、出版社との契約がないアマチュア漫画家にとっても、出版契約を行うことなく、自分の未刊の作品で収入を得ることが可能となる。
また、広告料の大部分を著作権料に充てることができるので、広告クライアントにとっても広告費を低減することができ、この広告は世界中に人気のある漫画を通して海外にも流通し、日本国内にとどまらず世界中に製品を宣伝することができる。
さらに、現在インターネット上に流れている、違法にアップロードされた漫画を全て広告入りＰＤＦに置き換えることにより、著作者の権利を守り、適正な収益に繋げることができる。
また、今まで違法にアップロードしていた者にとっても、著作者の合意を得ることでアップロードが合法的になり、精神的負担も軽減するだけでなく、好きな漫画家の作品をスキャン及びアップロードすることにより、漫画家本人の手間を省くことができ、漫画家の補助的な役割になることもできる。
またこのシステムで扱う漫画は絶版漫画及び未出版漫画に限定するので、出版社との出版権によるトラブルもない。
【図面の簡単な説明】
【０００７】
【図１】本発明に係る絶版漫画の提供システムを示す概略図である。
【図２】提供方法を示すフローチャートである。
【図３】広告入り書籍データの説明図である
【図４】別実施例におけるフローチャートである。
【発明を実施するための最良の形態】
【０００８】
以下、本発明の実施形態を図面を参照して説明する。
【実施例１】
【０００９】
本提供方法の一実施態様について、図１は、本発明の実施例を示すシステムの概略図であって、その符号１は漫画配信サイトを示し、アーカイブサーバー２を備えている。
３は絶版漫画の保有者、４は漫画の読者を表し、夫々ユーザー端末と前記漫画配信サイト１とがネットを介して接続されている。
而して、前記絶版漫画保有者３によりスキャナー等を使用してデジタル化された書籍データが、ネット端末を介して漫画配信サイト１にアップロードされるようになっている。
前記漫画読者４は、漫画配信サイト１にアクセスすることにより、ユーザー端末で漫画配信サイト１の提供する絶版漫画を閲覧することができるようになっている。
５は絶版漫画の著作権者を示し、自身の絶版漫画をサイト１から削除するか又はサイトへの掲載を承諾するかをチェックできるようになっている。
６は、一般企業、広告代理店等の広告クライアントを示し、漫画配信サイト１に掲載を希望する広告データを提供すると共に、広告料をサイト事業者に対して支払うことができるようになっている。
広告クライアント６より支払われた広告料は絶版漫画の著作権者５に支払われるようになっている。
なお、図中の矢印は、書籍データ、広告データなどの所定のデータの流れを示す。
【００１０】
前記アーカイブサーバー２は、オリジナルデータベース１１、低解像度データベース１２、広告入りデータベース１３とを備えている。
前記オリジナルデータベース１１は、絶版漫画の保有者３により漫画配信サイト１にアップロードされた絶版漫画の書籍データ（以下、「オリジナルデータ」と云う）が格納されるようになっている。
前記低解像度データベース１２は、前記オリジナルデータを基に画像編集ソフト等を用いて作成された低解像度データが格納されるようになっている。
また、前記広告入りデータベース１３は、前記オリジナルデータを基に、広告代理店や一般企業等の広告クライアント６よりサイトに提供された広告データとを用いて編集された広告入りＰＤＦデータが格納されるようになっている。
【００１１】
次に、図２に示すフローチャートを用いて、本発明に係る絶版漫画の提供方法の一実施例を説明する。
（１）絶版漫画の保有者３のユーザー端末から、その絶版漫画の書籍データが漫画配信サイト１にアップロードされる。（ステップ１）
（２）アップロードされた書籍データは、出版権の有無と著作権者の配信承諾の有無をチェックされ、出版権があるものと内容的に不適切なものは削除されると共に、著作権者より配信承諾の有るものと無いものとに選別され、オリジナルデータとしてオリジナルデータベース１１に格納される。（ステップ２）
（３）上記オリジナルデータが著作権者の配信許諾のものである場合には以下のように処理される：
ａ．広告クライアントより提供された広告データと共にＰＤＦ作成ソフトを用いて編集され、広告入りＰＤＦデータが作成されて、広告入りデータベース１３に格納される。（ステップ３）
ｂ．而して、前記広告入りＰＤＦデータがネット上に公開される。このデータは閲覧が自由に出来ると共にダウンロードも可能である。（ステップ４）
（４）著作権者の配信許諾のないオリジナルデータは以下のように処理される：
ａ．画像編集ソフト等を用いて低解像度処理され、低解像度データベース１２に格納される。この低解像度データは誰でも閲覧する事が出来るが、ダウンロードは不可能に処理されている。（ステップ５）
ｂ．次に、上記低解像度データはネット上に公開され、絶版漫画の著作権者のチェックを受ける。
配信を拒絶されたデータは、オリジナルデータベース１１及び低解像度データベース１２から削除される。著作権者の未チェックのデータは、応答待ちの状態に置かれる。（ステップ６）
ｃ．配信の許諾を受けたデータは、広告クライアントより提供された広告データと共にＰＤＦ作成ソフトを用いて編集され、広告入りＰＤＦデータを作成され前記広告入りデータベースに格納される。（ステップ７）
ｄ．前記「広告入りＰＤＦデータ」がネット上に公開される。このデータは閲覧が自由に出来ると共にダウンロードも可能である。（ステップ８）
以上のプロセスにより、漫画閲覧サイト１には、絶版になった漫画のデータが徐々に蓄積され、絶版漫画の電子図書館ができる。而して、広告クライアントから得た広告料は配信された絶版漫画の著作権者に支払われるようにしてある。
【００１２】
図３は、広告入りＰＤＦデータの作成例であり、表紙と漫画前半部との間、漫画前半部と漫画後半部との間及び漫画後半部と後紙との間に、広告クライアントより提供された広告データが夫々挿入され編集されている。
しかし、広告データの挿入個所は、一話一話の間など適当な節目に挿入することができる。
なお、広告収入を得る方法としては、読者が配信された漫画を閲覧するだけで得られるようにしたインプレション方式、広告にリンクを張っておき、読者が広告をクリックした時に得られるようにしたクリック保証方式、読者が広告に表示された商品を購入すると価格の数％が得られるようにしたアフィリエイト方式等があるが、本発明においてはそれら全ての方式を採用することが可能である。
【実施例２】
【００１３】
次に、図４のフローチャートを用いて、本発明に係るネットを利用した絶版漫画の提供方法の別実施例を説明する。
なお、本実施例においても、前記実施例１に説明したものと同一の提供システムが使用されている。
本実施例においては、
（１）絶版漫画の保有者により、漫画配信サイト１に設けた検索システムで著作権者の配信承諾の有無がチェックされる。
而して、出版権があるもの及び配信を拒絶された書籍データはブロックされ、出版権がなく著作権者の承諾を得た書籍データ（オリジナルデータ）のみが漫画配信サイト１にアップロードされる。
そして、上記オリジナルデータは、内容的に不適切なものでないかをチェックされた後に、アーカイブサーバー２のオリジナルデータベース１１に格納される。（ステップ１）
（２）次に、上記オリジナルデータは、広告クライアント６より提供された広告データと共にＰＤＦ作成ソフトを用いて編集され、広告入りＰＤＦデータが作成される。該広告入りＰＤＦデータは広告入りデータベース１３に格納される。
（ステップ２）
（３）次に、上記広告入りＰＤＦデータがネット上に公開される。このデータは閲覧が自由に出来ると共にダウンロードも可能である。（ステップ３）
（４）また、絶版漫画の書籍データが著作権者からアップロードされた場合には、そのデータは、出版権の有無等をチェックされる事無く、広告クライアントより提供された広告データと共にＰＤＦ作成ソフトを用いて編集され、広告入りＰＤＦデータが作成される。（ステップ４）
而して、このデータは、上記ステップ３と同様にネット上に公開される、
従って、本実施例おいては、前記実施例１のように、アップロードされたオリジナルデータの低解像度データを作成するステップと、そのデータをネット上に公開して著作権者のチェックを受けるステップを必要としない。
【００１４】
上記実施例１及び実施例２はいずれも、絶版漫画をネットを介してユーザー端末に提供する方法について説明したが、著作者がアマチュア等で未出版の漫画である場合についても同様に実施できる。
なお、本発明は漫画以外の一般書籍につき、通信回線を利用して配信する場合にも利用できる。
【符号の説明】
【００１５】
１      漫画配信サイト
２      アーカイブサーバー
３      絶版漫画の所有者
４      漫画の読者
５      絶版漫画の著作権者
６      広告クライアント
１１    オリジナルデータベース
１２    低解像度データベース
１３    広告入りデータベース
【図１】
2012084033.tif 000003
【図２】
2012084033.tif 000004
【図３】
2012084033.tif 000005
【図４】
2012084033.tif 000006